(57)【要約】【課題】  本発明の目的は、類似移動層吸着分離工程における差圧増加を防止するための新しい類似移動層吸着分離工程を提供することにある。【解決手段】  本発明に係るＳＭＢ吸着分離工程システムは、流体混合物の少なくとも一つの成分が固体吸着剤と接触し、吸着された成分を着脱剤で再び分離する類似移動層（‘ＳＭＢ’）吸着分離工程システムにおいて、ベッド内に形成された吸着剤層の上部に不活性粒子層を形成することを特徴とする。【選択図】      図１
2005296946.tif 000002
【特許請求の範囲】
【請求項１】
流体混合物の少なくとも一つの成分が固体吸着剤と接触し、吸着された成分を着脱剤で再び分離する類似移動層吸着分離工程システムにおいて、ベッド内に形成された吸着剤層の上部に不活性粒子層を形成することを特徴とする、ＳＭＢ吸着分離工程システム。
【請求項２】
前記不活性粒子層は、アルミナボール、ムライトボール及びセラミックボールよりなる群から選択されることを特徴とする、請求項１に記載のＳＭＢ吸着分離工程システム。
【請求項３】
前記不活性粒子層は、前記吸着剤層の上部に２〜３ｃｍの厚さで形成されることを特徴とする、請求項１に記載のＳＭＢ吸着分離工程システム。
【請求項４】
前記不活性粒子層の直径は、０．１２５〜０．２５インチであることを特徴とする、請求項１に記載のＳＭＢ吸着分離工程システム。
【請求項５】
流体混合物の少なくとも一つの成分が固体吸着剤に吸着し、吸着された成分を再び着脱剤で分離する類似移動層吸着分離工程において、
吸着分離しようとする流体混合物が、流入ポートを介してロータリーバルブと連結される多重アクセスラインを通じて吸着チェンバー（コラム）内に流入され、
前記流入された流体混合物が、前記吸着チェンバー内の各ベッドに形成された吸着剤層とその上部に形成された不活性粒子層とに接触し、
前記ベッドから相対的に吸着力が弱いラフィネートと前記着脱剤とが混合されたラフィネート混合流体を引出ポートに引出し、
前記ベッドから相対的に吸着力が強い抽出物と前記着脱剤とが混合された抽出物混合流体を引出ポートに引出し、及び
スイッチングタイムによって前記ロータリーバルブが回転することにより、前記流体混合物流入ポート、ラフィネート流出ポート、抽出物流出ポート及び着脱剤流入ポートが隣接する多重アクセスラインに連結されて作動する、
段階からなることを特徴とする、ＳＭＢ吸着分離方法。
【請求項６】
前記引き出されたラフィネート混合流体がラフィネートコラムで沸点が高い着脱剤と低いラフィネートとに分離され、分離された前記着脱剤を前記着脱剤流入ポートを通じて前記ベッドに再び供給し、そして前記ラフィネートを第１のドラムを通じて引き出すことを特徴とする、請求項５に記載のＳＭＢ吸着分離方法。
【請求項７】
前記抽出された抽出物混合流体が抽出物コラムで沸点が高い着脱剤と低い抽出物とに分離され、分離された前記着脱剤を着脱剤流入ポートに追加着脱剤として循環させ、そして抽出物を第２のドラムで引き出すことを特徴とする、請求項５に記載のＳＭＢ吸着分離方法。
【請求項８】
前記不活性粒子層は、アルミナボール、ムライトボール及びセラミックボールよりなる群から選択されることを特徴とする、請求項５に記載のＳＭＢ吸着分離方法。
【請求項９】
前記不活性粒子層は、前記吸着剤層の上部に２〜３ｃｍの厚さに形成されることを特徴とする、請求項５に記載のＳＭＢ吸着分離方法。
【請求項１０】
前記不活性粒子層の直径は、０．１２５〜０．２５インチであることを特徴とする、請求項５に記載のＳＭＢ吸着分離方法。
【発明の詳細な説明】
【技術分野】
【０００１】
本発明は異性質体混合物からそれぞれの異性質体を効果的に分離するための吸着分離工程に関するものである。より具体的に本発明は、類似移動層（ＳＭＢ）吸着クロマトグラフィーを用いた分離工程において差圧（ｐｒｅｓｓｕｒｅ  ｄｒｏｐ）増加を防止するための吸着分離工程に関するものである。
【背景技術】
【０００２】
一般に用いられている回分式（ｂａｔｃｈ  ｔｙｐｅ）クロマトグラフィーは、吸着メカニズムを原理とする分離工程法として高純度分離と実験室での分析などに適切であるため、高純度生合成化合物、精密化学合成物、食品添加剤などの分離及び精製に広く用いられている。しかし、このような回分式クロマトグラフィーを用いる分離工程は、用いられる溶媒が多量消費され、分離しようとする成分の吸着度の差が小さい場合には分離しにくく、ひいては大容量を分離したり、または連続的に分離しようとする場合には適切ではないという問題点を有している。
【０００３】
このような問題点を解決するための方法の一つとして実際移動床（ｔｒｕｅ  ｍｏｖｉｎｇ  ｂｅｄ：‘ＴＭＢ’）吸着分離工程が用いられている。このようなＴＭＢ工程は、熱交換機や抽出工程などで効率的に適用されている向流流れ（ｃｏｕｎｔｅｒ  ｃｕｒｒｅｎｔ  ｆｌｏｗ）の概念を導入したのとして、固定床に移動床と反対方向の流れを与えて分離しようとする混合物の溶液がコラムに注入されると、固定床に対して吸着性質が強いのは固定床の流れに沿ってコラムの外に流出され、吸着性が低い成分は移動床に沿って移動するようにする。
【０００４】
ＴＭＢ工程では、２物質間の分離度の差が大きくなくても２物質の濃度分布曲線の両側先だけでも分離ができれば、純粋な物質を得ることができるという長所がある。しかし、ＴＭＢ工程は、既存の固定式分離工程に比べて多量の充填剤を用いるべき、充填剤の摩擦と流出などにより正常状態の操業が非常に難しいという短所を有している。このような短所を克服するため、固定床である吸着剤を分離コラムに充填させて固定させ、分離コラム間のポートを一定時間毎に移動させて固定床の向流移動を模写する類似移動層（ｓｉｍｕｌａｔｅｄ  ｍｏｖｉｎｇ  ｂｅｄ：ＳＭＢ）吸着分離工程が開発されてきた。
【０００５】
ＳＭＢ工程は、ＴＭＢ工程の固定床の流れに対する問題を解決するために開発されたのとして、芳香族炭化水素の混合物からパラ−キシレン（ｐ−ｘｙｌｅｎｅ）の精製、エチルベンゼンの分離、キラル化合物の製造工程などに適用されている。このような工程の中で代表的なことがＵＯＰ社の米国特許第４，３２６，０９２号及び第５，３８２，７４７号に開示されている。
【０００６】
従来のＳＭＢ工程によるパラ−キシレン分離工程では、吸着塔内で吸脱着速度の適切な保持と流体の液状保持のため高温高圧状態を維持すべき、このような工程特性上各ベッドを流れる流体の速度が一瞬間に急に大幅に変化するため流体の流れが不安定になることができる。流体流れの不安定性によって過流が発生すると、各ベッドの上部にある吸着剤の粒子が流動することになり、これにより吸着剤の粒子相互間の摩擦で微細粒子が発生する。この微細粒子は各ベッドの上部に積まれて差圧の原因になり、特に微細粒子が各ベッドの上部に均一に分布しなく一部分に偏重されると、チャンネリング（ｃｈａｎｎｅｌｉｎｇ）が発生して差圧の増加はもっと大きくなる。このような差圧の増加は、その自体だけで装置の機械的限界を外れるようにするという問題点がある。また、チャンネリングが増加すると、分離されるパラ−キシレンの純度及び回収率に致命的な悪影響を与えることができる。
【０００７】
それで本発明者らは、各ベッドの上部で吸着剤の粒子が流動しないようにするため、ベッドの上部、即ち吸着剤層の上部に不活性粒子（ｉｎｅｒｔ  ｂａｌｌ）層を形成することにより、ＳＭＢ吸着分離工程で表す前記のような従来の問題点を解決しようと本発明を開発することに至る。
【特許文献１】米国特許第４，３２６，０９２号
【特許文献２】米国特許第５，３８２，７４７号
【発明の開示】
【発明が解決しようとする課題】
【０００８】
本発明の目的は、類似移動層吸着分離工程における差圧増加を防止するための新しい類似移動層吸着分離工程を提供することにある。
【０００９】
本発明の他の目的は、吸着チェンバー内の各ベッドを流れる流体の流れを安定させて吸着剤層の吸着剤粒子の流動を防止することができる類似移動層吸着分離工程を提供することにある。
【００１０】
本発明のまた他の目的は、ベッドの上部に発生する吸着剤の微細粒子の蓄積を防止することができる類似移動層吸着分離システムを提供することにある。
【００１１】
本発明のまた他の目的は、ベッドの上部で微細粒子の蓄積が偏重されることにより発生することができるチャンネリングを防止するための新しい類似移動層吸着分離システムを提供することにある。
【課題を解決するための手段】
【００１２】
本発明の前記及びその他の目的は、下記で詳細に説明される本発明により全て達成できる。
【００１３】
本発明に係る類似移動層吸着分離工程システムは、少なくとも一つの成分が固体吸着剤と接触し、吸着された成分を着脱剤で再び分離する従来のＳＭＢ吸着分離工程システムにおいて、類似移動床内の吸着剤層の上部に不活性粒子層を形成することをその特徴とする。
【００１４】
本発明で形成される不活性粒子層は、アルミナ、ムライトまたはセラミックボール粒子からなり、吸着剤の上部に２〜３ｃｍの厚さに形成される。前記不活性粒子の直径は０．１２５〜０．２５インチであるのが好ましい。
【００１５】
本発明に係る類似移動層吸着分離工程は、流体混合物の少なくとも一つの成分が固体吸着剤に吸着し、吸着された成分を再び着脱剤で分離する吸着分離工程において、流体混合物が流入ポートを介してロータリーバルブと連結される多重アクセスラインを通じて吸着チェンバー（コラム）内に流入され、前記吸着チェンバー内の各ベッドに形成された吸着剤層とその上部に形成された不活性粒子層に接触し、前記ベッドから相対的に吸着力が弱いラフィネートと前記着脱剤とが混合されたラフィネート混合流体を引出ポートに引出し、引き出されたラフィネートの混合流体をラフィネートコラムで沸点が高い着脱剤と低いラフィネートとに分離し、分離された前記着脱剤を着脱剤流入ポートを通じて前記ベッドに再び供給し、前記ラフィネートを第１のドラムを通じて引出し、前記ベッドから相対的に吸着力が強い抽出物と前記着脱剤が混合された抽出物混合流体を引出ポートに引出し、抽出された抽出物を抽出物コラムで沸点が高い着脱剤と低い抽出物とに分離し、そして分離された前記着脱剤を着脱剤流入ポートに追加着脱剤として循環させ、抽出物を第２のドラムから引出す段階からなり、スイッチングタイムによって前記ロータリーバルブが回転することにより、前記流体混合物流入ポート、ラフィネート流出ポート、抽出物流出ポート及び着脱剤流入ポートが隣接する多重アクセスラインに連結されて作動する。
【発明を実施するための最良の形態】
【００１６】
以下本発明の内容を添付された図面を参考にして下記で詳細に説明する。
【００１７】
図１は、ＳＭＢ吸着分離工程システムを概略的に図示した図面である。
【００１８】
図１に図示されたように、ＳＭＢ吸着分離工程システムは吸着チェンバー（コラム）（１）内にベッド（１１）を多層に構成し、各ベツドには吸着剤層が形成されている。吸着チェンバー（１）内の各ベッドは多重アクセスライン（２１）を通じてロータリーバルブ（２）に連結される。図１では、説明のために前記吸着チェンバー（１）が一つ用いられるのを図示しているが、通常２つの吸着チェンバーを用いて総２４個のベッドが存在する。
【００１９】
ロータリーバルブ（２）は、流体混合物流入ポート（２２）、ラフィネートポート（２３）、着脱剤流入ポート（２４）及び抽出物流出ポート（２５）を多重アクセスライン（２１）に連結させる。流体混合物流入ポート（２２）と着脱剤流入ポート（２４）は流入ポートであり、ラフィネートポート（２３）と抽出物流出ポート（２５）はそれぞれ流出ポートである。ロータリーバルブ（２）の詳細な構成は、本発明が属する技術分野で通常の知識を有する者により容易に実施されることができる。
【００２０】
ラフィネートコラム（３）は、ラフィネート流出ポート（２３）を通じて引出されたラフィネート混合流体を分離し、分離されたラフィネートを再び第１のドラムを通じて引出し、分離された着脱剤成分は再び着脱剤として着脱剤流入ポート（２４）に循環させる。
【００２１】
抽出物コラム（４）は、抽出物流出ポート（２５）を通じて引出された抽出物混合流体を分離し、分離された抽出物を再び第２のドラムを通じて引出し、一部を再び着脱剤として着脱剤流入ポート（２４）に循環させる。
【００２２】
本発明でのＳＭＢ吸着分離工程システムは、吸着チェンバー（１）内に多数のベッド（１１）を形成して直列形態に構成する。本発明のようなＳＭＢ吸着分離工程では実際に固定床の流れがなく、一定時間のスイッチング間隔によって着脱剤（ｄｅｓｏｒｂｅｎｔ）、抽出物（ｅｘｔｒａｃｔ）、流体混合物（ｆｅｅｄ）及びラフィネートのポート位置を移動床が流れる方向に変化させて、各ポートを中心にコラムが相対的に移動床が流れる方向の反対方向に置かれることになる。このように仮想の固定床の流れを作って移動床と向流流れを模写することができる。固定床として用いられる吸着剤は前記ベッド内に充填されるが、本発明では充填される吸着剤の上部に不活性粒子を充填して吸着剤層の上部に不活性粒子層を形成したのである。
【００２３】
前記着脱剤、抽出物、供給物（流体混合物）及びラフィネートの各ポート（２２、２３、２４、２５）の位置を連続的に稼動させることはできないが、図１に記載のように各ベッドを連結するように多重アクセスライン（２１）を設けてロータリーバルブ（２）を通じて一定のスイッチングタイム間隔を与えて周期的にそれぞれの流れを隣のラインに移動させることにより、連続工程と類似な効果を得ることができる。従って、流体混合物流入ポートを通じて注入された物質の中で吸着力が弱い物質は移動床に沿ってラフィネート流出ポートに出ることになり、吸着力が強い物質は吸着チェンバー（１）の各ベッド（１１）内で吸着剤に吸着されて一定時間のスイッチングによって相対的にコラムが動くようになるため、抽出物流出ポート（２５）に出ることになる。
【００２４】
吸着チェンバー（１）の内部にはセンターパイプ（１４）が設けられており、ポンプ（５）により流体混合物が循環される。
【００２５】
図２は、図１のＡ部分を拡大した断面図として、ＳＭＢ吸着分離工程システムの吸着チェンバー内のベッドの概略的な断面図であり、図３は、吸着チェンバー内のベッドを形成するために吸着剤層を支持するためのグリッドの概略的な平面図である。
【００２６】
図２に図示されたように、ベッド（１１）の内部にはセンターパイプ（１４）を中心に円板型のグリッド（１２）が設けられるが、このグリッドの上に吸着剤層と不活性粒子層とが形成される。グリッドは、センターパイプ（１４）の外壁と吸着コラム（１１）の内壁とにそれぞれ形成された支持リング（１６）により支持される。上下部ベッド間の流体移動はグリッド（１２）を通じてなされる。
【００２７】
各グリッド（１２）は、センターパイプ分配器（１５）と連結されてベッドライン（１３）を介して多重アクセスライン（２１）に連結される。図３に記載のように、本発明のグリッド（１２）は二重のスクリーンになっていて液状の流体のみを通過させることによりベッド（１１）の隔膜の役割をし、パイ形状の２４個の切れからなる。
【００２８】
図４は、従来のＳＭＢ吸着分離工程においてグリッドの上部に形成される吸着剤層を表す概略的な断面図として、（ａ）は吸着剤層が形成された断面図、（ｂ）は流体の流れによる吸着剤の流動の結果で発生した微細粒子層が吸着剤層の上部に形成された状態を表す断面図である。
【００２９】
図４（ａ）のように、吸着剤をＨＡの高さで充填した従来の工程では流体が流入されながら吸着剤（６）が流動することになり、吸着剤の相互摩擦により粉砕されて吸着剤微細粒子（６′）が図４（ｂ）のようにＨＢ１の高さに蓄積される。このような微細粒子の蓄積によって吸着チェンバー（１）内の差圧が増加することになり、特に微細粒子が一部分に偏重することになると、チャンネリングが発生して差圧がもっと大幅に増加する。このような差圧の増加とチャンネリングによってパラ−キシレン分離工程の場合、分離されるパラ−キシレンの純度と回収率に致命的な悪影響を与えることになる。
【００３０】
図５は、本発明に係るＳＭＢ吸着分離工程システムにおいてグリッドの上部に形成される吸着剤層（６）とその上に形成される不活性粒子層（７）を表す概略的な断面図である。
【００３１】
本発明で採用される不活性粒子層（７）は、ベッド内に流体が流入される場合にベッドの上部で起こる過流（ｅｄｄｙ  ｃｕｒｒｅｎｔ）によって吸着剤粒子が流動することにより、起こる粒子相互間の摩擦によって吸着剤粒子が粉砕されて微細粒子がベッドの上部に蓄積される現象を防止するためである。従来には、グリッドとすぐ下のベッドの上部の吸着剤間の直接接触により粒子粉砕が起こることを防止するため、ベッド内に充填される吸着剤層（６）の上部に約４ｃｍ程度の空間が発生するように吸着剤を詰める方式を用いたが、このような従来の方式は吸着剤の流動を発生させる問題がある。本発明では、不活性粒子層が吸着剤層の上部に形成されることにより流体が吸着剤と接触することを妨害しないとともに、不活性粒子の下部の吸着剤を押さえる効果と、ベッドに流入される流体の流れを均等に再分散する効果があるため、流体流れにより吸着体粒子が揺るがすことを効果的に防止することができる。
【００３２】
本発明に用いられる不活性粒子の具体的な例としては、アルミナ、ムライト、セラミックボールなどが用いられることができるが、この中でアルミナボールを用いるのが好ましい。
【００３３】
本発明の不活性粒子層は、吸着剤層の上部に２〜３ｃｍの厚さに形成するのが好ましく、不活性粒子の直径は吸着剤の直径を考慮して０．１２５〜０．２５インチ範囲のものを用いるのが好ましい。
【００３４】
図１を参照して本発明の吸着分離工程に対して説明すると次のようである。
【００３５】
まず、吸着チェンバー（１）内の各ベッド（１１）に形成される吸着剤層の上部に不活性粒子層を形成する。前記流体混合物は、流体混合物流入ポート（２２）を通じてロータリーバルブ（２）と連結される多重アクセスライン（２１）を通じて吸着チェンバー（１）内に流入され、前記吸着チェンバー内の各ベッド（１１）に充填された前記吸着剤と接触する。前記ベッドから相対的に吸着力が弱いラフィネートと着脱剤とが混合されたラフィネート混合流体はラフィネート流出ポート（２３）に引出される。引出されたラフィネート混合流体はラフィネートコラム（３）で沸点が高い着脱剤と低いラフィネートとに分離され、前記着脱剤は着脱剤流入ポート（２４）を通じて前記ベッドに再び循環され、前記ラフィネートは第１のドラム（３１）を通じて引出される。
【００３６】
前記ベッドから相対的に吸着力が強い抽出物と前記着脱剤とが混合された抽出物混合流体は、抽出物流出ポート（２５）に引出される。抽出された前記抽出物は、抽出物コラム（４）で沸点が高い着脱剤と低い抽出物とに分離される。分離された前記着脱剤は着脱剤流入ポート（２４）に追加着脱剤として循環し、抽出物は第２のドラム（４１）から引出される。各ベッド（１１）に連結される前記流体混合物流入ポート、ラフィネート流出ポート、抽出物流出ポート及び着脱剤流入ポートは、スイッチングタイムによって前記ロータリーバルブが回転することにより、前記それぞれのポートが隣接する多重アクセスラインに連結される。
【００３７】
前記で指摘した従来のＳＭＢ吸着分離工程の問題点は、不活性粒子層（７）を各ベッドの吸着剤層（６）の上部に形成することにより解決することができる。このような不活性粒子層（７）は、流体が吸着剤に接触することを妨害しないながら流体の流れを安定化させて流体流動による吸着剤の流動及び微細粒子の発生を防止することができるため、差圧の増加や微細粒子によるチャンネリングを防止することができる。
【００３８】
本発明は、下記の実施例によりより一層具体化され、下記実施例は本発明の具体的な例示に過ぎなく、本発明の保護範囲を限定または制限しようとするのではない。
【実施例】
【００３９】
本発明の実施例及び比較例は、ベッド内に充填された吸着剤の粒子が流動する程度を見回すための実験を下記のような方法で遂行した。
【００４０】
まず、ピペットに吸着剤を詰めて、当該吸着剤の上部に不活性粒子を０．５ｃｍ厚さに詰めた後、ピペットの上部を蛇口と連結して水を流した。流速は大略２ｃｍ/ｓにし、ピペットの下方に落ちる水をマスシリンダーに受けて、単位時間当り受けた水の量を確認することにより測定した。このような過程を経る間、ベッドの上部の粒子の流動を観察した。観察結果に対する写真を図６に表した。
【００４１】
〔比較例〕
ピペットの内部に不活性粒子層を形成しなくて吸着剤層のみを形成した後、前記実施例と同一な方法で実験を遂行して吸着剤粒子の流動を観察した。観察結果に対する写真を図７に表した。
【００４２】
図６及び図７に図示されたように、本発明に係るベッド内の不活性粒子層は、流体の流動による吸着剤粒子の流動を防止することができるのが分かる。
【００４３】
本発明の単純な変形ないし変更はこの分野の通常の知識を有する者により容易に実施でき、このような変形や変更はすべて本発明の領域に含まれる。
【図面の簡単な説明】
【００４４】
【図１】本発明に係るＳＭＢ吸着分離工程システムを概略的に図示した図面である。
【図２】図１のＡ部分を拡大した断面図として、ＳＭＢ吸着分離工程システムの吸着チェンバー内のベッドの概略的な断面図である。
【図３】吸着チェンバー内のベッドを形成するために吸着剤層と不活性粒子層とを支持するためのグリッドの概略的な平面図である。
【図４】従来のＳＭＢ吸着分離工程におけるグリッドの上部に形成される吸着剤層を表す概略的な断面図として、（ａ）は吸着剤層が形成された断面図、（ｂ）は流体の流れによる吸着剤の流動の結果で発生した微細粒子層が吸着剤層の上部に形成された状態を表す断面図である。
【図５】本発明に係るＳＭＢ吸着分離工程システムにおいてグリッドの上部に形成される吸着剤層とその上に形成される不活性粒子層を表す概略的な断面図である。
【図６】本発明の実施例による吸着剤層の吸着剤粒子の流動実験結果を表す写真である。
【図７】本発明の比較例による吸着剤層の吸着剤粒子の流動実験結果を表す写真である。
【符号の説明】
【００４５】
１  吸着チェンバー（ｃｈａｍｂｅｒ）
２  ロータリーバルブ（ｒｏｔａｒｙ  ｖａｌｖｅ）
３  ラフィネートコラム（ｒａｆｆｉｎａｔｅ  ｃｏｌｕｍｎ）
４  抽出物コラム
５  ポンプ
６  吸着剤
６′  吸着剤微細粒子
７  不活性粒子層
１１  ベッド（ｂｅｄ）
１２  グリッド（ｇｒｉｄ）
１３  ベッドライン
１４  センターパイプ
１５  センターパイプ分配器
１６  支持リング（ｓｕｐｐｏｒｔ  ｒｉｎｇ）
２１  多重アクセスライン
２２  流体混合物流入ポート
２３  ラフィネートポート
２４  着脱剤流入ポート
２５  抽出物流出ポート
３１  第１のドラム
４１  第２のドラム
【図１】
2005296946.tif 000003
【図２】
2005296946.tif 000004
【図３】
2005296946.tif 000005
【図４】
2005296946.tif 000006
【図５】
2005296946.tif 000007
【図６】
2005296946.tif 000008
【図７】
2005296946.tif 000009